【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
減光作用を有する光学フィルタであって、
フィルタベースと、
該フィルタベース上に形成され、第１のグラデーション領域を有する第１の光学膜と、
該第１の光学膜と少なくとも一部が光の透過方向において重なるように形成され、かつ第２のグラデーション領域を有する第２の光学膜とを有することを特徴とする光学フィルタ。
【請求項２】
前記第１の光学膜は、前記フィルタベースの第１の面上に形成され、
前記第２の光学膜は、前記フィルタベースにおける前記第１の面とは反対側の第２の面上に形成されていることを特徴とする請求項１に記載の光学フィルタ。
【請求項３】
前記第１のグラテーション領域における透過率の増減方向と、前記第２のグラテーション領域における透過率の増減方向とが互いに同一であることを特徴とする請求項１又は２に記載の光学フィルタ。
【請求項４】
前記第１および第２の光学膜はそれぞれ、多層膜により構成されていることを特徴とする請求項１から３のいずれか１つに記載の光学フィルタ。
【請求項５】
前記フィルタベースの面内方向において、前記第１のグラテーション領域と前記第２のグラデーション領域の両端部のうち少なくとも一方の位置が互いに異なることを特徴とする請求項１から４のいずれか１つに記載の光学フィルタ。
【請求項６】
前記フィルタベースの面内方向において、前記第１のグラデーション領域と前記第２のグラデーション領域の長さが互いに異なることを特徴とする請求項１から４のいずれか１つに記載の光学フィルタ。
【請求項７】
前記第１のグラデーション領域と前記第２のグラデーション領域とが、前記光の透過方向において互いに重ならないように形成されていることを特徴とする請求項１から４のいずれか１つに記載の光学フィルタ。
【請求項８】
前記第１および第２のグラデーション領域のうち少なくとも一方が形成された範囲において、該光学フィルタの透過率の変化率が変化することを特徴とする請求項１から７のいずれか１つに記載の光学フィルタ。
【請求項９】
光が通過する開口を形成し、かつ該開口の大きさを可変とする遮光部材と、
請求項１から８のいずれか１つに記載の光学フィルタとを有することを特徴とする光量調節装置。
【請求項１０】
請求項１から８のいずれか１つに記載の光学フィルタを有し、
該光学フィルタを光軸直交面内で移動させることにより光量を変化させることを特徴とする光量調節装置。
【請求項１１】
請求項９又は１０に記載の光量調節装置と、
該光量調節装置を通過した光束に像を形成させる光学系とを有することを特徴とする光学機器。
【請求項１２】
前記第１および第２の光学膜が形成された範囲において最も低い光透過率が、該光学機器のＥＶ値に対して６段分以上の光透過率であることを特徴とする請求項１１に記載の光学機器。
【手続補正２】
【補正対象書類名】明細書
【補正対象項目名】００１１
【補正方法】変更
【補正の内容】
【００１１】
上記の目的を達成するために、１つの観点としての本発明は、減光作用を有する光学フィルタにおいて、フィルタベースと、該フィルタベース上に形成され、第１のグラデーション領域を有する第１の光学膜と、該第１の光学膜と少なくとも一部が光の透過方向において重なるように形成され、かつ第２のグラデーション領域を有する第２の光学膜とを有する。
【手続補正３】
【補正対象書類名】明細書
【補正対象項目名】００１２
【補正方法】変更
【補正の内容】
【００１２】
本発明によれば、それぞれグラデーション領域を有する第１および第２の光学膜を組み合わせることにより、１つの光学フィルタのみで行うことが可能な光量コントロールの範囲や光透過率の設定自由度を従来よりも拡大することができる。特に、フィルタベースの面内方向において、第１のグラテーション領域と第２のグラデーション領域の両端のうち少なくとも一方の位置を互いに異ならせたり、第１のグラデーション領域と第２のグラデーション領域の長さを互いに異ならせたり、第１のグラデーション領域と第２のグラデーション領域とが光軸方向において互いに重ならないように形成したりすることで、様々な光透過率の変化形態を得ることができる。
【手続補正４】
【補正対象書類名】明細書
【補正対象項目名】００１６
【補正方法】変更
【補正の内容】
【００１６】
このズームレンズを構成する４つのレンズユニットは、固定された前玉レンズ２０１ａと、光軸に沿って移動することで変倍動作を行うバリエータレンズ２０１ｂと、固定されたアフォーカルレンズ２０１ｃと、光軸に沿って移動することで変倍時の焦点面維持と焦点合わせを行うフォーカシングレンズ２０１ｄとにより構成されている。また、バリエータレンズ２０１ｂとアフォーカルレンズ２０１ｃとの間には、ＮＤユニット（光量調節装置）２５２が固定されて配置されている。ＮＤユニット２５２には、後述する本実施例のグラデーションＮＤフィルタが設けられており、該グラデーションＮＤフィルタは、ステッピングモータ等のＮＤ駆動源２５０によって光軸直交面内で移動されることにより、固定の絞り口径（開放口径）を覆う領域を変化させ、光量を変化させることができる。
上記４つのレンズユニット２０１ａ〜２０１ｄは、ＮＤユニット２５２を通過した光束に像を形成させる光学系を構成する。
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】変更
【補正の内容】
【００３０】
２２５はズームエンコーダ、２２７はフォーカスエンコーダである。これらのエンコーダはそれぞれ、バリエータレンズ２０１ｂおよびフォーカシングレンズ２０１ｄの光軸方向の絶対位置を検出する。なお、図１０Ａ，Ｂに示すようにバリエータ駆動源としてＤＣモータを用いる場合には、ボリューム等の絶対位置エンコーダを用いたり、磁気式のものを用いたりする。
【手続補正７】
【補正対象書類名】明細書
【補正対象項目名】００３７
【補正方法】変更
【補正の内容】
【００３７】
図１には、本実施例の特徴となるグラデーションＮＤフィルタの光軸直交断面を示す図である。なお、図１の上下方向が光軸方向、すなわちグラデーションＮＤフィルタにおける光の透過方向に相当する。
【手続補正８】
【補正対象書類名】明細書
【補正対象項目名】００５４
【補正方法】変更
【補正の内容】
【００５４】
このような従来のグラデーションＮＤフィルタに対して、第２の面３側に、第１の最小透過率領域５と同じ２５％の透過率を有する第２の最小透過率領域８と、第２のグラデーション領域９と、第２の透明領域１０とを設けると、実線１２のグラフ２で示す特性となる。つまり、フィルタベース１の両面に形成された光学膜４Ａ，４Ｂによって、最終の最小透過率（最大濃度）は約１．６％となり、第１および第２のグラデーション領域６，９を形成した範囲で、従来のグラデーションＮＤフィルタに比べて長い（言い換えれば、透過率の変化量が大きい）グラデーション部を形成することができる。本実施例では、このグラデーション部における透過率の変化率はほぼ一定である。
【手続補正９】
【補正対象書類名】明細書
【補正対象項目名】００５７
【補正方法】変更
【補正の内容】
【００５７】
但し、図９に示すような絞り装置（光量調節装置）を搭載してもよい。この絞り装置は２枚羽根型のものであり、光が通過する絞り開口を形成し、かつ該絞り開口の大きさを可変とする２枚の絞り羽根（遮光部材）４０５，４０６を１つの回動式電磁アクチュエータ（モータ）２２４でシーソー式駆動レバー４０２を介して駆動する構成のものである。この絞り装置では、絞り羽根の駆動源として、円柱形に構成された永久磁石製のロータ（もしくは円柱形に構成された金属体の外周面に着磁されたロータ）を有する電磁駆動アクチュエータが使用されており、該アクチュエータは、ロータ外周面の磁極の移動変化をホール素子によって検出することにより回転位置や回転量（回転角）を制御される。
【手続補正１０】
【補正対象書類名】明細書
【補正対象項目名】００６１
【補正方法】変更
【補正の内容】
【００６１】
このため、図９に示した絞り羽根にＮＤフィルタを貼り付けるタイプや、あるいは特開２０００−２１４５１４号公報にて提案されているように、絞り駆動源とは別の駆動源でＮＤフィルタを光路に対して挿抜するものなどに、本実施例のグラデーションＮＤフィルタを用いることで、小絞り回折を招くことなくコントロール可能な光量範囲や段数を増加させることができる。
【手続補正１１】
【補正対象書類名】明細書
【補正対象項目名】００７３
【補正方法】変更
【補正の内容】
【００７３】
これにより、第１および第２のグラデーション領域６，９が光軸方向において実質的に重なり合い、この範囲で両面のグラデーション効果により、図４の特性グラフに実線１５で示すように、片面のグラデーション領域のみでは実現が困難な大きな透過率の変化率を作り出すことができる。
【手続補正１２】
【補正対象書類名】明細書
【補正対象項目名】００７６
【補正方法】変更
【補正の内容】
【００７６】
これにより、図５の特性グラフに実線１６で示すように、実施例２で説明したような場合に有利な透過率変化を実現することができる。
【手続補正１３】
【補正対象書類名】明細書
【補正対象項目名】００７８
【補正方法】変更
【補正の内容】
【００７８】
これにより、第１および第２の最小透過率領域５，８が光軸方向に重なり合った均一透過率範囲と、第１の最小透過率領域５および第２のグラデーション領域９とが重なり合ったグラデーション範囲と、第１および第２のグラデーション領域６，９が重なり合ったグラデーション範囲と、第１のグラデーション領域６と第２の透明領域１０が重なり合ったグラデーション範囲と、第１および第２の透明領域７，１０が重なり合った透明範囲とが形成される。
【手続補正１４】
【補正対象書類名】明細書
【補正対象項目名】００８４
【補正方法】変更
【補正の内容】
【００８４】
このような絞り装置を備えたビデオカメラの電気的構成を図１２に示す。図１２において、２３５は絞り装置、２２４は該絞り装置に設けられた絞り羽根を駆動する絞り駆動源であり、ステッピングモータ等が用いられる。
【手続補正１５】
【補正対象書類名】図面
【補正対象項目名】図２
【補正方法】変更
【補正の内容】
【図２】
2005301155.tif 000001
【手続補正１６】
【補正対象書類名】図面
【補正対象項目名】図８
【補正方法】変更
【補正の内容】
【図８】
2005301155.tif 000002